【手続補正書】
【提出日】平成20年8月21日(2008.8.21)
【手続補正１】
【補正対象書類名】明細書
【補正対象項目名】発明の名称
【補正方法】変更
【補正の内容】
【発明の名称】注文配達支援システムおよびその制御方法
【手続補正２】
【補正対象書類名】明細書
【補正対象項目名】特許請求の範囲
【補正方法】変更
【補正の内容】
【特許請求の範囲】
【請求項１】  商品の注文を送信する注文用携帯端末と、
前記注文用携帯端末とは異なる配達用携帯端末と、
前記注文を受信する注文受信手段、前記注文用携帯端末の位置を検出し、当該検出した注文用携帯端末の位置に関する位置情報を前記配達用携帯端末に送信する送信手段を備える受付装置とから構成され、
前記配達用携帯端末は、前記受付装置から送信される注文用携帯端末の位置情報を受信し、出力することを特徴とする注文配達支援システム。
【請求項２】  前記配達用携帯端末は、前記受付装置より送信される位置情報に基づき、地図画像に、前記注文用携帯端末への誘導経路を重ねて表示することを特徴とする請求項１記載の注文配達支援システム。
【請求項３】  前記送信手段は、さらに配達用携帯端末の位置を検出し、
当該検出した配達用携帯端末の位置に関する位置情報を前記配達用携帯端末に送信する手段を含み、
前記配達用携帯端末は、前記受付装置から送信される前記注文用携帯端末の位置情報および前記配達用携帯端末の位置情報に基づき、配達者から注文者への誘導経路を地図画像に重ねて表示することを特徴とする請求項１または２記載の注文配達支援システム。
【請求項４】  前記配達用携帯端末は、商品配達を完了したことを入力する配達完了情報入力手段と、
配達完了情報が入力されたとき、配達完了情報を送信する配達完了情報送信手段とを有し、
前記受付装置は、前記配達完了情報を受信するまでの間、注文用携帯端末の位置を検出し、前記配達用携帯端末に位置情報を送信することを特徴とする請求項１〜３のいずれか一つに記載の注文配達支援システム。
【請求項５】  前記受付装置は、前記注文用携帯端末と前記配達用携帯端末とが近接したことを検出して近接検出情報を送信し、
前記注文用携帯端末、もしくは配達用携帯端末は、受信した近接検出情報に基づいて、前記注文用携帯端末と前記配達用携帯端末とが近接したことを出力することを特徴とする請求項１〜４のいずれか一つに記載の注文配達支援システム。
【請求項６】  商品の注文を送信する注文用携帯端末を含み、
前記注文用携帯端末とは異なる配達用携帯端末と、
前記注文を受信する受付装置とが、
データを送受信可能に接続された注文配達支援システムの制御方法であって、
前記受付装置が前記注文用携帯端末の位置を検出し、当該検出した注文用携帯端末の位置に関する位置情報を、前記配達用携帯端末に送信するステップと、
前記配達用携帯端末が、前記注文用携帯端末の位置情報を受信し、出力するステップとからなる注文配達支援システムの制御方法。
【手続補正３】
【補正対象書類名】明細書
【補正対象項目名】０００１
【補正方法】変更
【補正の内容】
【０００１】
【発明の属する技術分野】
本発明は、注文者から商品の注文を受けとり、配達者が商品を注文者まで配達する注文配達サービスを支援する注文配達支援システムおよびその制御方法に関する。
【手続補正４】
【補正対象書類名】明細書
【補正対象項目名】００１２
【補正方法】変更
【補正の内容】
【００１２】
本発明の目的は、注文者が任意の位置から商品を注文することが可能で、注文後に自由に移動しても、注文者の位置が自動検出され、配達者によって商品が正確に配達されることを可能とする注文配達支援システムおよびその制御方法を提供することである。
【手続補正５】
【補正対象書類名】明細書
【補正対象項目名】００１３
【補正方法】変更
【補正の内容】
【００１３】
本発明は、商品の注文を送信する注文用携帯端末と、
前記注文用携帯端末とは異なる配達用携帯端末と、
前記注文を受信する注文受信手段、前記注文用携帯端末の位置を検出し、当該検出した注文用携帯端末の位置に関する位置情報を前記配達用携帯端末に送信する送信手段を備える受付装置とから構成され、
前記配達用携帯端末は、前記受付装置から送信される注文用携帯端末の位置情報を受信し、出力することを特徴とする注文配達支援システムである。
【手続補正６】
【補正対象書類名】明細書
【補正対象項目名】００１４
【補正方法】変更
【補正の内容】
【００１４】
本発明に従えば、注文用携帯端末の位置を検出すると、受付装置は、検出した注文用携帯端末の位置情報を送信する。配達用携帯端末は注文用携帯端末の位置情報を受信し、その位置を出力するので配達者は、出力結果を参照して注文者に商品を配達することができる。
【手続補正７】
【補正対象書類名】明細書
【補正対象項目名】００１５
【補正方法】変更
【補正の内容】
【００１５】
また本発明は、前記配達用携帯端末は、前記受付装置より送信される位置情報に基づき、地図画像に、前記注文用携帯端末への誘導経路を重ねて表示することを特徴とする。
【手続補正８】
【補正対象書類名】明細書
【補正対象項目名】００１６
【補正方法】変更
【補正の内容】
【００１６】
本発明に従えば、配達用携帯端末は、前記受付装置より送信される位置情報に応じた地図画像と、前記注文用携帯端末への誘導経路とを重ねて表示するので、配達者は注文者の位置まで最適な経路を経て注文者に商品を配達することができる。
【手続補正９】
【補正対象書類名】明細書
【補正対象項目名】００１７
【補正方法】変更
【補正の内容】
【００１７】
また本発明は、前記送信手段は、さらに配達用携帯端末の位置を検出し、
当該検出した配達用携帯端末の位置に関する位置情報を前記配達用携帯端末に送信する手段を含み、
前記配達用携帯端末は、前記受付装置から送信される前記注文用携帯端末の位置情報および前記配達用携帯端末の位置情報に基づき、配達者から注文者への誘導経路を地図画像に重ねて表示することを特徴とする。
【手続補正１０】
【補正対象書類名】明細書
【補正対象項目名】００１８
【補正方法】変更
【補正の内容】
【００１８】
本発明に従えば、受付装置は、配達用携帯端末の位置を検出し、前記配達用携帯端末は、配達用携帯端末の位置に関する位置情報に応じた地図画像と、注文用携帯端末の位置情報および配達用携帯端末の位置情報に基づき、配達者から注文者への誘導経路とを重ねて表示するので、配達者は注文者の位置まで最適な経路を経て注文者に商品を配達することができる。
また本発明は、前記配達用携帯端末は、商品配達を完了したことを入力する配達完了情報入力手段と、
配達完了情報が入力されたとき、配達完了情報を送信する配達完了情報送信手段とを有し、
前記受付装置は、前記配達完了情報を受信するまでの間、注文用携帯端末の位置を検出し、前記配達用携帯端末に位置情報を送信することを特徴とする。
【手続補正１１】
【補正対象書類名】明細書
【補正対象項目名】００２０
【補正方法】変更
【補正の内容】
【００２０】
また本発明は、前記受付装置は、前記注文用携帯端末と前記配達用携帯端末とが近接したことを検出して近接検出情報を送信し、
前記注文用携帯端末、もしくは配達用携帯端末は、受信した近接検出情報に基づいて、前記注文用携帯端末と前記配達用携帯端末とが近接したことを出力することを特徴とする。
【手続補正１２】
【補正対象書類名】明細書
【補正対象項目名】００２１
【補正方法】変更
【補正の内容】
【００２１】
本発明に従えば、前記受付装置は、前記注文用携帯端末と前記配達用携帯端末とが近接したことを検出して近接検出情報を送信する。前記注文用携帯端末、もしくは配達用携帯端末は、近接検出情報を受信して、近接したことを出力するので注文者は、配達者が近づいたことを予め知ることができる。
また本発明は、商品の注文を送信する注文用携帯端末を含み、
前記注文用携帯端末とは異なる配達用携帯端末と、
前記注文を受信する受付装置とが、
データを送受信可能に接続された注文配達支援システムの制御方法であって、
前記受付装置が前記注文用携帯端末の位置を検出し、当該検出した注文用携帯端末の位置に関する位置情報を、前記配達用携帯端末に送信するステップと、
前記配達用携帯端末が、前記注文用携帯端末の位置情報を受信し、出力するステップとからなる注文配達支援システムの制御方法である。